Podtech/llm-jp-corpus-v4-ja_patent huggingface dataset:
(57)【要約】【課題】歯の裏側の歯垢、歯石などを除去するのに適した歯間ブラシを提供する。【解決手段】  歯間ブラシ１０は、ステンレスワイヤ２ｂを固定する握り手部１ａとステンレスワイヤ２ｂに放射する刷毛部３ｃを有する。  ３ｃの形状は先端が太く握り手部が細い従来の技術とは逆テーパーの円錐形で、歯間に挿入すると歯の裏側で先端部が広がり、引き出すことで歯の裏側の歯垢・歯石・食物残渣等を掻き出す効果がある。【選択図】  図１
0003191358.tif 000002
【実用新案登録請求の範囲】
【請求項１】
握り手部と、中心のステンレスワイヤ部と、該ワイヤ部の周囲の設けた刷毛部を備える歯間ブラシであって、歯間の隙間に挿入する先端側の刷毛の長さが長く、握り手側の刷毛の長さが短いことにより、歯の裏側の歯垢、歯石などを除去することの特徴を有する歯間ブラシ。
【請求項２】
前記刷毛部が複数段になっていることを特徴とする請求項１に記載の歯間ブラシ。
【考案の詳細な説明】
【技術分野】
【０００１】
本考案は、歯の裏側の歯垢（プラーク）や汚れを除去するために考案された新型歯間ブラシに関するものである。
【背景技術】
【０００２】
従来の歯間ブラシは、複数本の細いステンレスワイヤに、ナイロン製の刷毛がステンレスワイヤを中心として、その外側に放射するように固定された円錐や円柱の形状をしているなどの、様々な材質・形態の歯間ブラシが普及している。
何れも歯牙と歯牙の間にブラシを挿入して往復運動をすることにより、歯間の歯垢、歯石、食物残渣などを除去するものである。
【０００３】
しかしながら、従来の歯間ブラシは、いずれも刷毛の先端が細く握り手側が太い
円錐形か若しくは円柱形であり、歯の隙間の汚れは除去できるが歯の裏側の汚れを除去しようとしても刷毛が歯の裏側には当たらないことで除去できないという欠点があった。
【先行技術文献】
【特許文献】
【０００４】
【特許文献１】特開２００３−１０２５４８号公報
【特許文献２】特許第２５３８５３３号公報
【特許文献３】特開２００５−２７０３６６号公報
【特許文献４】特開２００５−１０３１８４号公報
【考案の概要】
【考案が解決しようとする課題】
【０００５】
本考案は、上述のような従来の欠点を鑑み、歯間ブラシの刷毛の形状によって歯の裏側の歯垢や歯石などを除去するための歯間ブラシを提供することを目的とする。
【課題を解決するための手段】
【０００６】
本考案は、握り手部に固定されたステンレスワイヤを中心にナイロン製の刷毛を外側に放射状に固定する。刷毛の形状は、従来の製品とは逆に挿入する先端側の毛の長さを長く、握り手側は短い角度（テーパー）にすることで掻き出し効果により歯の裏側の歯垢や汚れを除去できる。
【考案の効果】
【０００７】
歯の隙間を通過した刷毛の先端部が広がり、歯の裏側部分にまで刷毛が届くこと
から、ブラシを往復することにより歯の裏側の歯垢や汚れを除去できる。
【図面の簡単な説明】
【０００８】
【図１】本考案の一実施形態に係わる歯間ブラシの平面図である。
【図２】本考案の他の実施形態に係わる歯間ブラシの平面図である。
【考案を実施するための形態】
【０００９】
本考案の歯間ブラシについて、図面１を参照しながら説明をする。
【００１０】
図１は、本考案の実施形態に係わる歯間ブラシの平面図である。歯間ブラシは、握り手部１ａと、ステンレスワイヤ２ｂと、刷毛３ｃを備える。
【００１１】
歯間ブラシは、刷毛部３ｃが握り手部１ａに対して円錐の形状を具備していることから歯の裏側の歯垢や汚れの除去ができる。
【符号の説明】
【００１２】
１ａ    握り手部
２ｂ    ステンレスワイヤ
３ｃ    刷毛
１０      歯間ブラシ
【図１】
0003191358.tif 000003
【図２】
0003191358.tif 000004
(57)【要約】      （修正有）【課題】机等の上に置いた場合に書類などに挟まって見つけにくいという状態を防ぎ、また、柄で自立することで使用時に手で掴みやすい団扇を提供する。【解決手段】扇部１と柄２と起き上がりこぼし機能を有する柄の先端３で構成される。起き上がりこぼし機能を実施するために、柄の端に重みをつけ、丸味を設ける。【選択図】図１
0003191307.tif 000002
【実用新案登録請求の範囲】
【請求項１】
扇部（１）と柄（２）と起き上がりこぼし機能を有する柄の先端（３）構成される、柄の先端を下にして立つことができる団扇。
【考案の詳細な説明】
【技術分野】
【０００１】  この考案は、扇部（１）と柄（２）と起き上がりこぼし機能を有する柄の先端（３）で構成される、柄の先端を下にして自動的に立つことができる団扇である。
【背景技術】
【０００２】  従来、自動的に立つことができる機能をもつ団扇は無かった。
【先行技術文献】
【特許文献】
【考案の概要】
【考案が解決しようとする課題】
【０００３】  団扇は全体が平たい。その為、例えば机の上等に置いておくと団扇の上に雑誌や書類などが重なってしまっていた場合に見つけにくい。また団扇は全体が平たいため、床面に置かれた状態の場合は少々拾い上げにくい。
本案はこれらを解決しようとするものである。
【課題を解決するための手段】
【０００４】  本案は、扇部（１）と柄（２）と起き上がりこぼし機能を有する柄の先端（３）で構成される、柄の先端を下にして自動的に立つことができる団扇である。これにより、机の上などに置いた場合に本案の団扇は柄で立つ状態となり、雑誌や書類などに挟まれて見つけづらい状況になりにくい。
【考案の効果】
【０００５】本案の団扇は、柄の先端を下にして自動的に立つことができる。そのため、雑誌や書類などに挟まれて見つけづらいという状態になりにくい。また、本案の団扇は柄の先端を下にして立つことができるため、柄が掴みやすい状態となり、使用時に手に取りやすい。
【図面の簡単な説明】
【０００６】
【図１】本案の形態を示した正面図である。
【考案を実施するための形態】
【０００７】  起き上がりこぼし機能を有する柄を実施する形態として、扇部とは反対側の柄の端に重みをつけるなどが考えられる。そして柄の端の形には、丸みを設ける。これにより、扇部（１）と柄（２）と起き上がりこぼし機能を有する柄の先端（３）で構成される、柄の先端を下にして自動的に立つことができる団扇となる。
【符号の説明】
【０００８】１  扇部
２  柄
３  起き上がりこぼし機能を有する柄の先端
【図１】
0003191307.tif 000003
【手続補正書】
【提出日】平成26年3月23日(2014.3.23)
【手続補正１】
【補正対象書類名】実用新案登録請求の範囲
【補正対象項目名】全文
【補正方法】変更
【補正の内容】
【実用新案登録請求の範囲】
【請求項１】
扇部（１）と柄（２）と起き上がりこぼし機能を有する柄の先端（３）で構成される、柄の先端を下にして立つことができる団扇。
(57)【要約】      （修正有）【課題】熱送風時や熱送風停止時または熱量調節時に使用することにより熱送風や熱の逆流防止または熱量調節を可能にする熱送風管を提供する。【解決手段】暖房用熱送風管の中間に耐熱で火傷防止可能な金属または合成樹脂製の開閉調節弁を取付け、送風時には開閉調節弁が上部および左右側面の排風口を閉じ、送風停止時には閉じていた開閉調節弁のバルブを操作することにより送風の停止または熱量調節と同時に上部および左右側面の排風口が開き排風される。【選択図】図２
0003191303.tif 000002
【実用新案登録請求の範囲】
【請求項１】
新品または使用中の暖房用熱送風管に開閉調節弁を取付け  熱送風時や熱送風停止時または熱量調節時に使用することにより熱送風や熱の逆流防止または熱量調節が可能な熱送風管
【考案の詳細な説明】
【技術分野】
【０００１】新品または使用中の暖房用熱送風管に開閉調節弁を取付け  熱送風時や熱送風停止時または熱量調節時に使用することにより熱送風や熱の逆流防止または熱量調節が可能な熱送風管【０００２】当案のような熱送風管が見当たらない
【考案の開示】
【考案が解決しようとする課題】
【０００３】本考案は熱送風や熱の逆流防止または送風熱量調節を可能にすることにある
【課題を解決するための手段】
【０００４】暖房用熱送風管に図面に示すような開閉調節弁を取付ける
【考案の効果】
【０００５】熱送風や熱の逆流防止または熱量調節を可能にすることができる
【図面の簡単な説明】
【０００６】暖房用熱送風管の中間に耐熱で火傷防止可能な金属または合成樹脂製の開閉調節弁を取付け送風時には開閉調節弁が上部および左右側面の排風口を閉じ  送風停止時には閉じていた開閉調節弁のバルブを操作することにより送風の停止または熱量調節と同時に上部および左右側面の排風口が開き排風される開閉調節弁付熱送風管
【図１】
0003191303.tif 000003
【図２】
0003191303.tif 000004
【手続補正書】
【提出日】平成26年4月4日(2014.4.4)
【手続補正１】
【補正対象書類名】明細書
【補正対象項目名】０００６
【補正方法】変更
【補正の内容】
【０００６】
【図１】図１は暖房用熱送風管の中間に耐熱で火傷防止可能な金属または合成樹脂製の開閉調節弁を取付け  バルブを矢印方向に回して開閉調節弁を開いて送風すると共に排風口を閉じた開閉調節弁付暖房用熱送風管の図
【図２】図２はバルブを矢印方向に回して開閉調節弁を閉じて送風を停止すると共に排風口を開いて送風を排出している開閉調節弁付暖房用熱送風管の図
(57)【要約】      （修正有）【課題】茸の種類に応じて適合する専用のタレ付きであるので、家庭においては、タレをつくる手間が省け、火を通してタレを付けたり和えるだけで最高に調理され得る茸の販売包装セットを提供する。【解決手段】プラスチックや厚紙等で作られたトレイに少なくとも一種の茸１を並べるとともに、容器入りタレ３を詰め合わせ、全体的に透明フィルム５で被覆し、透明フィルム５の一部にタレの説明書８のシール７が貼付されている。【選択図】図１
0003191367.tif 000002
【実用新案登録請求の範囲】
【請求項１】
プラスチックや厚紙等で作られたトレイに少なくとも一種の茸を並べるとともに、容器入りタレを詰め合わせ、全体的に透明フィルムで被覆し、透明フィルムの一部にタレの説明書のシールが貼付されていることを特徴とする茸の販売包装セット。
【請求項２】
タレが塩タレであるとともに、昆布等から抽出したグルタミン酸を添加して調合されていることを特徴とする請求項１記載の茸の販売包装セット。
【考案の詳細な説明】
【技術分野】
【０００１】
この考案は、生の椎茸をはじめ、しめじ、まいたけ、えのき、平茸等を出荷するための茸の販売包装セットに関する。
【背景技術】
【０００２】
従来、生椎茸等の茸の販売では多くの場合、プラスチック又は厚紙のトレイに茸をのせたものを透明フィルムで包装した形態がとられていた。したがって、これが店頭に陳列されていると、中身が透けて見えるため、品質の良し悪しが吟味できることはもちろん、陳列中に乾く不都合が防止されるので、客は良質のものを選んで新鮮なまま調理することができ、調理については、焼く、煮る、揚げる等の方法で、香りとともにおいしく食されてきた。
【０００３】
茸のうちでも「どんこ」となるような肉厚の品種の椎茸であるとき、これを焼いて食べると、香りや風味はもちろんのこと、歯触りや舌触りも楽しめたが、タレは普通の醤油や焼肉用等を使用していたので、最高に味わうには十分ではなく物たりなく感じられてきた。
【考案の概要】
【考案が解決しようとする課題】
【０００４】
しかしながら、家庭で茸のタレをつくるとなると、茸が特殊の食材であるため、要領を得なく、多忙でもあり困難であったから、最高のタレで茸の調理に臨むことはできなかった。
【０００５】
この考案は、上記のような実情に鑑みて、茸の種類に応じて適合する専用のタレ付きであるので、家庭においては、タレをつくる手間が省け、火を通してタレを付けたり和えるだけで最高に調理され得る茸の販売包装セットを提供することを課題とした。
【課題を解決するための手段】
【０００６】
上記の課題を解決するために、この考案は、プラスチックや厚紙等で作られたトレイに少なくとも一種の茸を並べるとともに、容器入りタレを詰め合わせ、全体的に透明フィルムで被覆し、透明フィルムの一部にタレの説明書のシールが貼付されていることを特徴とする茸の販売包装セットを提供する。
【考案の効果】
【０００７】
以上説明したように、この考案の茸の販売包装セットによれば、店頭では透明フィルムを透して専用のタレ付きであると知って顧客が購入できるため、家庭では開封し、必要があれば切ってから火を通し、タレを付けたり和えたりするだけで調理でき、タレをつくる手間が省けることはもちろん茸の有する独特の風味をタレの味で絶妙に堪能できるため、消費者に茸を最高に食する機会を提供できるという優れた効果がある。
【図面の簡単な説明】
【０００８】
【図１】この考案の茸の販売包装セットを示す上から見た斜視図である。
【図２】容器入りタレの他の例を示す平面図である。
【図３】この考案の茸の販売包装セットを開封し、ジンギスカン風の食べ方とする場合を示す斜視図である。
【考案を実施するための形態】
【０００９】
この考案では、タレを同梱してセット販売するので、茸の質を専用タレの特徴とともに高めることができる。なお、茸は、塩分の割合い多い塩タレと相性が良く、塩タレをベースとしてタレの風味を高めることができる。
【００１０】
茸類には旨み成分としてグアニル酸が含まれている。アミノ酸系のグルタミン酸と、この核酸系のグアニル酸とを合わせると、単独の時よりもはるかに強いうま味が得られることが知られている。したがって、タレには昆布等からとれるグルタミン酸を添加して茸に適した味わい深いタレとすることもできる（図３参照）。
【００１１】
肉厚の椎茸の場合、これを手頃な一口大に切って包装しておいても良い。こうすれば、咋今の主婦の料理時間の短縮傾向を受けて料理がさらに簡単で手軽な販売セットとなる。この場合、電子レンジ等で火を通した後に付属のタレを和えることで直ちに一品料理となる。
【実施例】
【００１２】
図１は椎茸について実施した例を示したもので、その茸の販売包装セットPは、椎茸１が６個入りのパック（１２０〜１３０ｇ程度）となるトレイ２に専用のタレ３を同梱し、プラスチックの透明フィルム５で包装したセット例を示す。片隅には透明フィルム５に説明書８のシール７が貼付されている。
【００１３】
茸１は、「どんこ」となる品種の生椎茸を使用した。これは、肉厚で最高級のものとして知られており、傘の開いていない食べごろのものを使用する。タレ３は、プラスチックのフィルムチューブからなる小袋状の容器３ａに充填され、これには一部に切口が設けられているので、摘み切り開いてタレを抽出できる。
【００１４】
タレの成分については、ぶどう糖液、醤油、水、蛋白加水分解物、おろしにんにく、植物油、食塩、醸造酢、豆板醤、たまねぎエキス、香辛料、増粘剤（加工でんぷん）、調味料(アミノ酸等)、パプリカ色素などとし、この説明書８とともに専用タレ３が同梱である趣旨をシール７に記載される。
【００１５】
消費者における食べ方としては例えば次の態様が考えられる。
（１）皿に載せてトースターで加熱してからタレを付けて食する。
（２）鉄板や網に載せて炭火にかけ、火が通ったころを見計らってタレを付けてジンギスカン風に食する。
（３）生椎茸のスライスを湯につけてから、タレでしゃぶしゃぶ風に食する。
【００１６】
なお、図３に示すように網焼きの場合、網９のうえに椎茸１を、ヒダが上になるように載せて炭火で焼き、火が通ったころにタレ３をヒダの上に滴下する食べ方があるが、そのときには押出式のタレ容器３ａであると好都合である。ちなみに、図２、図３に示す押出式のタレ容器３ａは、弾性を有するプラスチック製であって、抽出口にネジ蓋４付きである。
【符号の説明】
【００１７】
Ｐ  茸の販売包装セット
１  茸
２  トレイ
３  容器入りタレ
３ａ  容器
５  透明フィルム
７  シール
８  説明書
【図１】
0003191367.tif 000003
【図２】
0003191367.tif 000004
【図３】
0003191367.tif 000005
(57)【要約】      （修正有）【課題】魚のいる沖の目標の場所に釣りの仕掛けを運ぶことができる飛ばし電気移動うきを提供する。【解決手段】だ円形のうきの下部におもり２を付け、上部にライト３を付ける。昼夜にかかわらず魚の居場所に仕掛けを運ぶことに役立つ。【選択図】図２
0003191314.tif 000002
【実用新案登録請求の範囲】
【請求項１】
だ円形のうきの下部におもりを付け、上部にライトを付けたことを特徴とする飛ばし電気移動うき。
【考案の詳細な説明】
【技術分野】
【０００１】本考案は、魚の居る場所に仕掛けを飛ばすうきに関するものである。
【背景技術】
【０００２】沖の魚の居場所に飛ばす（仕掛け）うきはほとんど無かった。
【考案の開示】
【考案が解決しようとする課題】
【０００３】特定の場所に群れた魚を釣ることが可能となり、前述の欠点を解決しようとするものである。
【課題を解決するための手段】
【０００４】本考案は、うきの下部に重めのおもりを取付け上部にライトを取付て問題を解決している。
【考案の効果】
【０００５】上述のように、特定の場所に釣りの仕掛けを飛ばすことができ沖に居る魚（鯵・鯖）を釣ることに役立つ。
【考案を実施するための最良の形態】
【０００６】うきの下部におもり、又上部にライトを付けることで昼と夜においても目標の場所に仕掛けを飛ばすことができる。
【実施例】
【０００７】以下、添付図に従って実施例を説明する。１は、うき本体２は、おもり、３は、ライト、４は、道糸に続ぐ金具で、道糸を通して仕掛けに続がる５は、うき止めである。【０００８】本考案の実施例は、上述の如き構成からなるものであり、沖に居る中形魚を釣ることに効果がある。
【図面の簡単な説明】
【０００９】
【図１】正面図
【図２】側面図
【図３】実施例図
【符号の説明】
【００１０】１．うき
２．おもり
３．ライト
４．金具
５．うき止め
【図１】
0003191314.tif 000003
【図２】
0003191314.tif 000004
【図３】
0003191314.tif 000005
(57)【要約】      （修正有）【課題】金属アレルギーをおこさず、大きい装飾パーツを付けても下向きにならない、ぶら下げるための装飾パーツであるシリコン製イヤークリップパーツを提供する。【解決手段】耳に直接触れる部分１，２と、耳に直接触れる部分１，２を両端に有する円弧状の本体とを含む全体をシリコン製としたことを特徴し、また円弧状の本体に装飾パーツ付けるための接着面３を設け、接着面３は、耳に取り付けたときに鉛直方面に対して角度を有する。さらに、円弧状の本体にチェーン等金属パーツを付けるための丸輪部分を設けたことを特徴とする。【選択図】図１
0003191311.tif 000002
【実用新案登録請求の範囲】
【請求項１】
耳に直接触れる部分（1）と（2）を含む全体をシリコン製にしたため金属アレルギー反応をおこさない事を特徴とするシリコン製イヤークリップパーツ。
【請求項２】
（3）のように接着面が大きくなおかつ角度を付けた事によって大きな装飾パーツを付けられなおかつ大きな装飾パーツを付けても装飾パーツの重みで下を向かない事を特徴とするシリコン製イヤークリップパーツ。
【請求項３】
（4）の丸輪部分をシリコン製の本体に付ける事で、チェーン等金属装飾パーツを（4）の丸輪部分に接続するため直接肌に金属が触れないように装飾パーツを接続する事を特徴とするシリコン製イヤークリップパーツ。
【考案の詳細な説明】
【技術分野】
【０００１】
本考案は、耳に穴をあけないで耳飾りに使用するシリコン製土台パーツである。
【背景技術】
【０００２】
耳飾りに大きい装飾パーツを接着すると落ちたり正面を向かなかったりした。チェーン等でぶら下げるパーツを装着する穴が無かった。金属パーツを使用すると金属アレルギーを引き起こす恐れがあった。
【考案の概要】
【考案が解決しようとする課題】
【０００３】
本考案の解決する課題は、金属アレルギーをおこさず、大きい装飾パーツを付けても下を向かないようなおかつ、ぶら下げるための装飾パーツを付けられるよう提供する。
【課題を解決するための手段】
【０００４】
金属アレルギー対策として肌に触れる部分は全てシリコン製で制作した。様々な装飾パーツを付けられるように接着面を大きく面を取り大きな装飾パーツが付いた時にその重さによって装飾パーツが下を向かないよう接着面に角度を付けた。チェーン等金属製の装飾パーツを装着できるように丸輪部分を付け、直接耳に触れる事無く装着する事が出来るようにした。耳に直接触れる接触部分はハートモチーフにしたため女性が好むデザインにしている。
【図面の簡単な説明】
【０００５】
【図１】1と2で耳たぶをはさむため1と2部分を含め全てシリコン製で制作した。3は大きい装飾パーツを接着しても下を向かないように接着面を大きくしなおかつ角度を付けた。
【図２】図1と同様全体をシリコン製で制作した。4はチェーン等金属装飾パーツをぶら下げる丸輪。4からチェーン等金属装飾パーツをぶら下げるため直接肌に触れる事が無く金属アレルギー反応がおきにくくした。
【図１】
0003191311.tif 000003
【図２】
0003191311.tif 000004
【手続補正書】
【提出日】平成26年4月8日(2014.4.8)
【手続補正１】
【補正対象書類名】実用新案登録請求の範囲
【補正対象項目名】全文
【補正方法】変更
【補正の内容】
【実用新案登録請求の範囲】
【請求項１】
耳に直接触れる部分（１，２）と、前記耳に直接触れる部分（１，２）を両端
に有する円弧状の本体とを含む全体をシリコン製としたことを特徴とするシリコ
ン製イヤークリップパーツ。
【請求項２】
前記円弧状の本体に装飾パーツ付けるための接着面（３）を設け、前記接着
面（３）は、耳に取り付けたときに鉛直方面に対して角度を有することを特徴と
する請求項1に記載のシリコン製イヤークリップパーツ。
【請求項３】
前記円弧状の本体にチェーン等金属パーツを付けるための丸輪部分（４）
を設けたことを特徴とする請求項1に記載のシリコン製イヤークリップパーツ。
(57)【要約】      （修正有）【課題】肌ざわりがよりやわらかく、泡立ちの良い、嵩高性のある浴用ボディタオルを提供する。【解決手段】経糸１を所定の間隔を空けて配置し、経糸の間隔の部分を緯糸の一部に使用したエラストマーからなる伸縮性のある糸２により、他の緯糸３，４を経糸の間隔の部分で裏表どちらか一方に突出させる。糸に熱処理を施し捲縮もしくはクリンプさせた固い糸を使用する事なく、肌ざわりがよりやわらかく、泡立ちの良い、嵩高性のある浴用ボディタオルが得られる。【選択図】図１
0003191336.tif 000002
【実用新案登録請求の範囲】
【請求項１】
経糸と緯糸とで構成された織物であって、経糸を所定の間隔を空けて配置し、経糸の間隔の部分を緯糸の一部に使用したエラストマーからなる伸縮性のある糸により、他の緯糸を経糸の間隔の部分で裏表どちらか一方に突出させ嵩高性を得ている事を特徴とするボディタオル。
【考案の詳細な説明】
【技術分野】
【０００１】本考案は、浴用ボディタオル及び浴用ボディタオルの製造方法に関するものである。
【背景技術】
【０００２】織機で織って形成する浴用ボディタオルにおいて、泡立ちの向上と嵩高性を持たせるために緯糸に熱処理により、捲縮もしくはクリンプさせた糸を使用し浴用ボディタオルを経糸の間隔の部分で裏表どちらか一方に突出させるという浴用ボディタオルは一般的に提供されている。【０００３】しかし、この方法では予め糸への熱加工により、捲縮もしくはクリンプさせるための加工を施す必要があり、この加工の段階で糸に熱加工を行なっているため、前記工程を施していない糸より固く仕上がっていた。
【考案の概要】
【考案が解決しようとする課題】
【０００４】本考案の目的は、織機で織って形成する浴用ボディタオルにおいて、熱加工以外の方法で生地を収縮させ、浴用ボディタオルを経糸の間隔の部分で裏表どちらか一方に突出させ肌ざわりがよりやわらかく、泡立ちの良い、嵩高性のある浴用ボディタオルを提供する事にある。
【課題を解決するための手段】
【０００５】上記目的を達成するために、経糸を所定の間隔を空けて配置し、経糸の間隔の部分を緯糸の一部に使用したエラストマーからなる伸縮性のある糸により、他の緯糸を経糸の間隔の部分で裏表どちらか一方に突出させ嵩高性を得ている事を特徴とする浴用ボディタオル。
【考案の効果】
【０００６】生地の緯糸の一部にエラストマーからなる伸縮性のある糸を使用する事により、糸に熱加工を施した固い糸を使用する事なく、肌ざわりがよりやわらかく、泡立ちの良い、嵩高性のある浴用ボディタオルを提供する事が出来る。
【考案を実施するための形態】
【０００７】以下、本考案の望ましい実施の形態を図面に基づいて説明する。
図１は、本商品にかかる浴用ボディタオルの平面図であり、図中符号１は経糸、２、３、４は緯糸を示す。
このボディタオルは、経糸１と緯糸３、緯糸４にナイロンフィラメントを、緯糸２にポリウレタンをナイロンウーリーでカバーリングした伸縮性のある糸を用いてエアージェットルームで織成されたもので、織成工程と、染色工程、巾を整える熱処理工程を経て製造される。
【０００８】織成工程は先ず、図２に示すように図外の整経機で経糸１となる３０デニールのナイロン糸約５５００本を整経ビーム５へ巻き取り、この整経ビーム５から繰り出される前記経糸１を開口用のワイヤヘルド６に一本ずつ通した後、筬７に通す。図３に示すように筬７の一目８に、開口の上側糸となる３本と下側糸となる２本の合計５本の経糸１を挿通する。次の一目には、開口の上側糸となる２本と下側糸となる３本の合計５本の経糸１を挿通する。さらに次の一目に、開口の上側糸となる３本と下側糸となる３本の合計６本の経糸を相通し、その後続く五目を空の状態にする。以後、これを繰り返して筬通しを行う。
【０００９】次にワイヤヘルド６の上下動により交互に開口する筬前部分に、エアージェットにより開口に緯糸２、緯糸３、緯糸４が予め設定されたパターンで打ち込まれてタオル素材９が形成される。
織成されたタオル素材９は巻き取りローラ１０に巻き取られる。
【００１０】上記緯糸２、緯糸３、緯糸４の打ち込みパターンは、緯糸２は１４０デニールのポリウレタンをナイロンウーリーでカバーリングした伸縮性のある糸、緯糸３は３００デニールのナイロン糸、緯糸４は４２０デニールのナイロン糸を使用したとき、ひとつの例として緯糸４を５本→緯糸２を２本→緯糸４を５本→緯糸３を１本→緯糸４を５本→緯糸３を１本→緯糸４を５本→緯糸２を１本→緯糸４を５本→緯糸３を１本→緯糸４を５本→緯糸２を１本→緯糸４を５本→緯糸３を１本→緯糸４を５本→緯糸２を３本→緯糸４を５本→緯糸３を１本→緯糸４を５本→緯糸３を１本→緯糸４を５本→緯糸２を１本→緯糸４を５本→緯糸３を１本→緯糸４を５本→緯糸２を２本・・・・を繰り返すパターンでタオル素材が形成される。
【００１１】このようにして織成加工で形成されたタオル素材９は、染色工程を経て、巾を整える熱処理工程で処理される。
緯糸２のポリウレタンをナイロンウーリーでカバーリングした伸縮性のある糸の収縮により、緯糸３、緯糸４が経糸の間隔の部分で裏表どちらか一方に突出する。
【００１２】以上、本考案に係るボディタオルの一実施例について説明したが、本考案は上記実施例に限定されるものではなく適宜変形実施可能である。
【図面の簡単な説明】
【００１３】
【図１】  本考案に係るボディタオルの一実施例を示す平面図である。
【図２】  本考案に係るボディタオルを製造する機械の概略を示す側面図である。
【図３】  本考案に係るボディタオルを製造する機械の筬部分の斜視図である。
【符号の説明】
【００１４】１  経糸
２  緯糸
３  緯糸
４  緯糸
９  タオル素材
【図１】
0003191336.tif 000003
【図２】
0003191336.tif 000004
【図３】
0003191336.tif 000005
(57)【要約】      （修正有）【課題】内容物を湿気から防ぐ、乾燥剤・吸湿剤を使わない防湿袋を提供する。【解決手段】袋に透湿防水フィルムを使用し、袋内側に透湿面１を配し、袋外側に防水面２を配して、開口部に密閉チャック３を取り付けたことで、袋外部からの水分の侵入を防ぎ、袋内部の湿気を排出する構成としている。【選択図】図１
0003191338.tif 000002
【実用新案登録請求の範囲】
【請求項１】
透湿防水フィルムの透湿面を内側に配し、透湿防水フィルムの防水面を外側に配して、開口部に密閉チャックを取り付けた防湿袋。
【考案の詳細な説明】
【技術分野】
【０００１】  本考案は、袋内部を湿気から防ぐ防湿袋に関する。
【背景技術】
【０００２】  従来の防湿袋は、通気性の無い防水素材（合成樹脂フィルム、アルミフィルム、アルミ蒸着フィルム、樹脂フィルムとアルミフィルムとの複合材等）を使用し、袋開口部に密閉チャックを取り付けて構成されていた。【０００３】  しかしながら、従来の素材を使用した防湿袋は、外部からの水分を防ぐことは出来ても、開口時などに袋内部に侵入した水分・湿気を防ぐことは出来なかった。袋内部の湿気を防ぐには、袋内部に吸湿剤、乾燥剤の同封が不可欠であり、吸湿剤、乾燥剤に劣化が起きると、袋内部にこもった湿気により内容物の湿気劣化が起き、吸湿剤、乾燥剤の取替が必要だった。
【先行技術文献】
【特許文献】
【０００４】
【考案の概要】
【考案が解決しようとする課題】
【０００５】  本考案は、以上のような従来の防湿袋が有する、袋内部に侵入した湿気の排出が出来ないことによる袋内部にこもった湿気による内容物の劣化に鑑み、内部湿気を排出し、且つ外部からの水分の侵入を防ぐ透湿防水機能を有する防湿袋を提供することを目的としている。
【課題を解決するための手段】
【０００６】  上記目的を達成するために、本考案は袋に透湿防水フィルムを使用し、透湿防水フィルムの透湿面を内側に配し、透湿防水フィルムの防水面を外側に配して、開口部に密閉チャックを使用した防湿袋である。この防湿袋は袋外部が防水のために外部からの水分を防ぎ、袋内部は透湿性のある透湿防水シートの透湿面のため、湿気は外部に排出される。そのために、袋外部からの水分の侵入を防ぎ、袋内部にこもった湿気を排出する防湿袋を構成している。
【考案の効果】
【０００７】  以上の説明から明らかなように、本考案にあっては次に列挙する効果が得られる。
（１）袋に透湿防水フィルムの透湿面を内側、透湿防水フィルム防水面を外側に使用し、開口部に密閉チャックを使用にすることにより袋外部からの水分を防ぎ、袋内部の湿気が排出され、袋内部の防湿が保たれる。【０００８】（２）前記（１）によって吸湿剤、乾燥剤を必要としない透湿防水性のある防湿袋ができる。
【図面の簡単な説明】
【０００９】
【図１】本考案を実施するための最良の形態の防湿袋の姿図である。
【考案を実施するための形態】
【００１０】  以下、本考案の実施の形態を図に基づいて説明する。
【実施例１】
【００１１】  図１は、本考案の実施例防湿袋の姿図である。
【産業上の利用可能性】
【００１２】  本考案は、防湿袋を必要とする産業で利用される。
【符号の説明】
【００１３】  １  透湿防水フィルム内側（透湿面）
２  透湿防水フィルム外側（防水面）
３  密閉チャック
【図１】
0003191338.tif 000003
(57)【要約】      （修正有）【課題】背が高かったり、細くて不安定な鉢植えの葉や茎などを安定させるために、それらをひとまとめにしばったり、立てた支柱にくくりつけたりするとき、鉢植えに装飾性を加えることができるように、蛇腹状飾り部に結束用の紐を設けた蛇腹状飾り付き結束紐を提供する。【解決手段】蛇腹状飾り部１に紐２を設けた蛇腹状飾り付き結束紐。【選択図】図１
0003191339.tif 000002
【実用新案登録請求の範囲】
【請求項１】
蛇腹状飾り部（１）に紐（２）を設けた蛇腹状飾り付き結束紐。
【考案の詳細な説明】
【技術分野】
【０００１】この考案は、蛇腹状飾り部に、結束用の紐を設けた蛇腹状飾り付き結束紐に関するものである。
【背景技術】
【０００２】従来、背が高かったり、細くて不安定な鉢植えは、その葉や茎などを紐などでひとまとめにしばったり、立てた支柱にくくりつけたりして、安定させるというものだった。
【考案の概要】
【考案が解決しようとする課題】
【０００３】これは、次のような欠点があった。
従来、鉢植えの葉や茎などを紐などでくくりつけたりする場合、装飾性に欠けていた。
【課題を解決するための手段】
【０００４】蛇腹状飾り部（１）に、紐（２）を設けた構成からなる蛇腹状飾り付きの結束紐にした。
【考案の効果】
【０００５】蛇腹状飾り付き結束紐で、背が高かったり、細くて不安定な鉢植えの葉や茎などをひとまとめにしばったり、立てた支柱にくくりつけたりして安定させることで、鉢植えに装飾性を加えることができる。
【考案を実施するための形態】
【０００６】以下、本考案の実施の形態について説明する。
蛇腹状飾り部（１）に紐（２）を設ける。本考案は、以上のような構造である。
これで、背が高かったり、細くて不安定な鉢植えの葉や茎などをひとまとめにしばったり、立てた支柱にくくりつけたりして、安定させるために使用する。
【図面の簡単な説明】
【０００７】
【図１】本考案の斜視図である。
【符号の説明】
【０００８】１  蛇腹状飾り部
２  紐
【図１】
0003191339.tif 000003
(57)【要約】      （修正有）【課題】参拝の時、故人の特定に便利な骨壷カバー取り付け遺影写真額縁を提供する。【解決手段】箱状に成した額縁７の前面には名前枠３と遺影写真枠２を設け、額縁７の中に収めた、遺影写真取付け台紙には写真を貼り、名前を表示し、額縁７の裏面には骨壷カバーに固定するための両面テープを取り付ける。【選択図】図１
0003191337.tif 000002
【実用新案登録請求の範囲】
【請求項１】
箱状に成した額縁の前面には名前枠と遺影写真枠を設け、額縁の中に収めた、遺影写真取付け台紙には写真を貼り、名前を表示し、額縁の裏面には骨壷カバーに固定するための両面テープを取り付けた、骨壷カバー取り付け遺影写真額縁。
【考案の詳細な説明】
【技術分野】
【０００１】  本考案は遺影写真を骨壷カバーに取り付ける事で参拝の時、故人の特定に便利な骨壷カバー取り付け遺影写真額縁に関するものである。
【背景技術】
【０００２】  従来、葬儀が終わると遺影写真は家、お骨はお寺に別々に置くというのが一般的であった。しかし、少子高齢化や核家族化が進み、先祖代々続くという前提が崩れ、お墓を持たないで、納骨堂を利用する人が多くなり、皆同じ骨壷カバーを使うため参拝の時、故人の特定が難しかった。
【考案の概要】
【考案が解決しようとする課題】
【０００３】  そのため、次のような問題点があった。
現在少子化核家族等の関係で、先祖代々続く前提が崩れ、葬儀後故人の遺影写真は破棄されているのが現状である。
又、お骨はカバーを掛けられ納骨堂に収められるため、名前又は法名のみになり、人の顔が見えないため、参拝の時に故人の特定に不便であった。
本考案はこれらの問題を解決するためになされたものである。
【課題を解決するための手段】
【０００４】箱状に成した額縁の前面には名前枠と遺影写真枠を設け、額縁の中に収めた、遺影写真取付け台紙には写真を貼り、名前を表示し、額縁の裏面には骨壷カバーに固定するための両面テープを取り付けた、骨壷カバー取り付け遺影写真額縁。
【考案の効果】
【０００５】  骨壷カバーに遺影写真が取り付けられてあると、参拝の時に故人の特定が容易で、故人を偲ぶにも便利である。
【図面の簡単な説明】
【０００６】
【図１】本考案の組み立てられた状態の斜視図
【図２】図１の背面斜視図
【図３】本考案の展開平面図
【図４】本考案の台紙の平面図
【図５】本考案の使用状態図
【考案を実施するための形態】
【０００７】  以下、本考案の実施の形態を説明する。
（イ）図３に示すように、厚紙（１）に遺影写真枠（２）と名前枠Ａ（３）を開ける。
（ロ）上記の、厚紙（１）の上に透明フィルム（４）を貼り付け、遺影写真や名前のカバーをしている。
（ハ）本体が箱状に形成するために、図３に示したように折りしろ（５）と糊しろ（６）部を設ける。
（ニ）図２に示すように、箱状に成った額縁（７）の背面には骨壷カバー（１１）に額縁（７）本体を固定するために、両面テープ（８）を取り付ける。
（ホ）遺影写真取り付け台紙（９）に遺影写真（１２）を所定の位置に貼り付け、厚紙（１）に遺影写真取り付け台紙（９）を取り付ける際に、上下に設けた両面テープＢ（１４）を用いる。
（ヘ）遺影写真取り付け台紙（９）の名前枠Ｂ（１０）に戒名等の名前を記載する。
本考案は以上のような構造である。
【０００８】  本考案を使用するときは、
（イ）図４に示された遺影写真取り付け台紙（９）に遺影写真（１２）を取り付ける。
（ロ）次に、図３の厚紙（１）に遺影写真（１２）を取り付けた写真取り付け台紙（９）を名前枠Ａ（３）と遺影写真枠（２）に位置合わせを行い、透明フィルム（４）に遺影写真取り付け台紙（９）を取り付ける。
（ハ）遺影写真取り付け台紙（９）を取り付けた厚紙（１）を折りしろに沿って折りたたみ、図１のように額縁（１）を作成する。
（ニ）そして、骨壷に被せた骨壷カバー（１１）の正面に両面テープ（８）で額縁（７）を固定する。このようにセットすることによって、骨壷カバー（１１）の正面に、遺影写真（１２）と故人の名前（１３）又は戒名が表示されるので、何処に骨壷があるかが判別出来る。
【符号の説明】
【０００９】１厚紙、２遺影写真枠、３名前枠Ａ、４透明フィルム、５折りしろ、６糊しろ、７額縁、８両面テープ、９遺影写真取り付け台紙、１０名前枠Ｂ、１１骨壷カバー、１２遺影写真、１３名前、１４両面テープＢ
【図１】
0003191337.tif 000003
【図２】
0003191337.tif 000004
【図３】
0003191337.tif 000005
【図４】
0003191337.tif 000006
【図５】
0003191337.tif 000007
(57)【要約】      （修正有）【課題】いつでもどこでも快適な温度のおしぼりを簡単に手に入れること。【解決手段】水と反応して短時間に温度が変化する瞬間温度変化剤５と、水２の入った小袋１とを同じ水密性の内袋に一緒に密封して温度変化パック３を形成し、これに濡れたタオル６を重ねて全体を外袋７に収容する。使用するときは、外袋を強く押して内部の小袋を破り、水と瞬間温度変化剤を反応させてから、タオルを外袋から取り出す。【選択図】図２
0003191372.tif 000002
【実用新案登録請求の範囲】
【請求項１】
水と反応して短時間に温度が変化する瞬間温度変化剤と、水の入った小袋とを同じ水密性の内袋に一緒に密封して温度変化パックを形成し、これに濡れたタオルを重ねて全体を外袋に収容して成るおしぼり。
【請求項２】
前記瞬間温度変化剤が瞬間冷却剤であることを特徴とする請求項１記載のおしぼり。
【請求項３】
前記瞬間温度変化剤が瞬間温熱剤であることを特徴とする請求項１記載のおしぼり。
【請求項４】
前記内袋と外袋の同じ位置にそれぞれ透視可能な観察窓を形成することを特徴とする請求項１〜３に記載のおしぼり。
【請求項５】
前記小袋の水が着色した水であることを特徴とする請求項１記載のおしぼり。
【考案の詳細な説明】
【技術分野】
【０００１】
本考案は外出先での使用に適したおしぼりの考案である。
【背景技術】
【０００２】
水の入った袋とタオルを一緒に包装し、これを外側から強く押して水の入った袋を破り、その水でタオルを濡らすようにした携帯用のおしぼりが提案されている（特許文献１）。
水のない野外でも濡れたおしぼりが使用でき便利がいいが、おしぼりの温度が外気温と大差ないため快適とまでは言えない。
【先行技術文献】
【特許文献】
【０００３】
【特許文献１】実開平１-155892号公報
【考案の概要】
【考案が解決しようとする課題】
【０００４】
本考案は、このような従来例を改良するもので、いつでもどこでも簡単に快適な温度のおしぼりを手にできることを目的とする。
【課題を解決するための手段】
【０００５】
請求項１のおしぼりは、水と反応して短時間に温度が変化する瞬間温度変化剤と、水の入った小袋とを同じ水密性の内袋に一緒に密封して温度変化パックを形成し、これに濡れたタオルを重ねて全体を外袋に収容して構成する。
【０００６】
請求項２のおしぼりは、請求項１の瞬間温度変化剤が瞬間冷却剤であることを特徴とする。
【０００７】
請求項３のおしぼりは、請求項1の瞬間温度変化剤が瞬間温熱剤であることを特徴とする。
【０００８】
請求項４のおしぼりは、請求項１〜３において、内袋と外袋の同じ位置にそれぞれ透視可能な観察窓を形成することを特徴とする。
【０００９】
請求項５のおしぼりは、請求項１の小袋の水が着色した水であることを特徴とする。
【考案の効果】
【００１０】
請求項１では、外袋を外側から強く押すなどして小袋を破り、小袋の外に出た水と瞬間温度変化剤を内袋の中で反応させる。この反応で温度変化パック全体の温度が急激に変化し、その温度変化が濡れたタオルに伝わりタオルの温度も一緒に変化して、外気温とは違う温度のおしぼりが即座に得られる、という効果を奏する。
【００１１】
請求項２では、瞬間温度変化剤として瞬間冷却剤を使用するから、これが小袋の水と反応すると温度変化パック全体の温度が急激に降下し、冷たいおしぼりが得られる、という効果を奏する。
【００１２】
請求項３では、瞬間温度変化剤として瞬間温熱剤を使用するから、これが小袋の水と反応すると温度変化パック全体の温度が急激に上昇し、暖かいおしぼりが得られる、という効果を奏する。
【００１３】
請求項４では、内袋と外袋の同じ位置にそれぞれ透視可能な観察窓を形成するので、外部から内袋の内部が観察でき、瞬間温度変化剤が水と正しく反応して温度変化を引き起こしたかを外部から目視で確認できる、という効果を奏する。
【００１４】
請求項５では、小袋の水が着色してあるので、内袋が破損し、反応した瞬間温度変化剤が漏出してタオルに付着した場合、それをタオルの着色で的確に認識できる。このため、瞬間温度変化剤がタオルに付着したことをおしぼりの使用前に知って、瞬間温度変化剤が付着した不快なタオルに触れずにすむ、という効果を奏する。
【図面の簡単な説明】
【００１５】
【図１】本考案の実施形態を分解して示す全体図
【図２】図１の断面図
【考案を実施するための形態】
【００１６】
次に本考案の実施形態を説明する。
１は水２の入った小袋で、薄いポリエチレンのシートで形成する。３は温度変化パックで、内袋４の中に小袋１と瞬間温度変化剤５を一緒に密封して形成する。内袋４はポリエチレンなどの水密性のプラスチックシートで構成するが、小袋１よりは厚めのシートを使用し、周縁も巾広に熱溶着するなどして堅固なシール部４aを巡らせ壊れにくい構造にする。
６はタオルで予め水で濡らし、適当な大きさに折り畳んで温度変化パック３に重ねて外装用の外袋７に収容し密封する。タオル６は事前に減菌処理をしておく。タオルは再利用できる。タオルの代わりに不織布でもよい。
外袋７は内袋４と同様に水密性で壊れにくい構造にする。内側にアルミの薄膜を張り合わせて遮光性を持たせると長期保存できる。７aはシール部を示す。
8、９は内袋４と外袋７の同じ位置に設けた観察窓で、この部分のシートを透視可能に形成して、外部から内袋４の内部を観察できるようにする。外袋７にアルミの薄膜を使用した場合は、観察窓９の部位だけアルミの薄膜を積層しない。
【００１７】
これを使用するときは、外袋７をテーブルに置いて上から強く押すか、両手で強く挟むかして、外側から力を加えて内部の小袋１を破り、中の水２を内袋４に出して瞬間温度変化剤５と反応させ、これにより温度変化パック３の温度を瞬間的に変化させ、その温度を濡れたタオル６に伝える。頃合いをみて、外袋７を破りタオル６を取り出せば、快適な温度のおしぼりが得られる。
【００１８】
押す力が弱すぎて小袋１が破れない場合は、瞬間温度変化剤５が反応せず温度変化パック３の温度が変化しない。そこで外袋７を開ける前に、観察窓８，９から温度変化パック３の内部の様子を観察して、小袋１が破れたかどうかを点検し、破れていない場合は破れるまで強く押す。
逆に押す力が強すぎると小袋1だけでなく内袋４まで破れて、水２と反応した瞬間温度変化剤５が漏出し、タオル６に付着する。そのようなタオルは異臭がするなどして肌に触れると不快なことがあるが、水２が着色してあれば、使用前に気付くことができる。
【００１９】
瞬間温度変化剤５として瞬間冷却剤を使用すると、温度変化パック３全体の温度が急激に降下し、即座に冷たいおしぼりが得られる。水と反応する瞬間冷却剤としては、粒状の尿素、固形の硝酸アンモニウム、または酸化カルシウムとアルミ粉末の混合物などが知られている。使用済の瞬間保冷剤は冷凍庫で冷やして再利用できる。
また瞬間温度変化剤５として瞬間温熱剤を使用すると、温度変化パック３全体の温度が急激に上昇し、即座に暖かいおしぼりが得られる。水と反応する瞬間温熱剤としては、酢酸ナトリウムまたは無水塩化カルシウムなどが知られている。
【符号の説明】
【００２０】
１は小袋
２は水
３は温度変化パック
４は内袋
５は瞬間温度変化剤
６はタオル
７は外袋
８、９は観察窓
【図１】
0003191372.tif 000003
【図２】
0003191372.tif 000004
(57)【要約】      （修正有）【課題】小学校での分数学習を、児童に理解しやすくする分数学習教具を提供する。【解決手段】もと・１とする大きさの円形厚紙１枚と円形半透明プラスティック製色板１枚、それと同じ大きさの円形厚紙７枚と異なる色の円形半透明プラスティック製色板７枚からなり、円形厚紙７枚３−１、３−３、・・・、３−１３にはそれぞれ異なる色で２等分、３等分、４等分、５等分、６等分、８等分、１２等分する７色の等分線を記入し、その等分線と同じ色の円形半透明プラスティック製色板７枚３−２、３−４、・・・３−１４には２等分、３等分、４等分、５等分、６等分、８等分、１２等分に切り分けられる切れ目を入れる。切り分けた扇形半透明プラスティック製色板は同じ色の等分線が記入された円形厚紙の上に色ごとに並べて戻し円形容器に収納する。分数のたし算では切り分けた扇形半透明プラスティック製色板をたし合わせ、ひき算ではそれらを重ね合わせるという操作を通して、分数の計算学習が理解しやすくなる。【選択図】図３
0003191323.tif 000002
【実用新案登録請求の範囲】
【請求項１】
もと・１とする大きさの円形厚紙１枚と円形半透明プラスティック製色板１枚、それと同じ大きさの円形厚紙７枚と異なる色の円形半透明プラスティック製色板７枚からなり、円形厚紙７枚にはそれぞれ異なる色で２等分、３等分、４等分、５等分、６等分、８等分、１２等分する７色の等分線を記入し、その等分線と同じ色の円形半透明プラスティック製色板７枚には２等分、３等分、４等分、５等分、６等分、８等分、１２等分に切り分けられる切れ目を入れたものであり、切り分けた扇形半透明プラスティック製色板は同じ色の等分線が記入された円形厚紙の上に色ごとに並べて戻し円形容器に収納することができることを特徴とする、分数学習教具。
【考案の詳細な説明】
【考案の開示】
【考案が解決しようとする課題】
【０００１】  小学校での分数学習は、児童にとって理解できていない傾向が強い。
0003191323.tif 000003
やその違いも理解できずに、分数のたし算やひき算をできないでいる児童も多い。
【課題を解決するための手段】
【０００２】  そこで、分数の大きさやその違いを実感できたり、分数のたし算・ひき算では通分をしなければならない必要性を考えられる教具はできないかと、本案を考案した。
本案は，もと・１とする大きさの円形厚紙１枚と円形半透明プラスティック製色板１枚、それと同じ大きさの円形厚紙７枚と異なる色の円形半透明プラスティック製色板７枚からなり、円形厚紙７枚にはそれぞれ異なる色で２等分、３等分、４等分、５等分、６等分、８等分、１２等分する７色の等分線を記入し、その等分線と同じ色の円形半透明プラスティック製色板７枚には２等分、３等分、４等分、５等分、６等分、８等分、１２等分に切り分けられる切れ目を入れたものである。
【考案の効果】
【０００３】  本案を使用すれば、切れ目の入れられた７色の円形半透明プラスティック製色板を児童自らが切り分けてそれぞれの分数の大きさやその違いを実感できたり、分数のたし算では切り分けた扇形半透明プラスティック製色板をたし合わせ、ひき算ではそれらを重ね合わせるという操作を通して通分の必要性を考えたりできるだけでなく、その後の分数の計算学習も理解しやすくなると考える。
【図面の簡単な説明】
【０００４】
【図１】  もと・１とする大きさの円形厚紙と円形半透明プラスティック製色板
【図２】  ２等分、３等分、４等分、５等分、６等分、８等分、１２等分する等分線を異なる７色で記入した円形厚紙
【図３】  ２等分、３等分、４等分、５等分、６等分、８等分、１２等分に切り分けられる切れ目を入れた７色の円形半透明プラスティック製色板７枚と切り分け後のそれぞれの図
【図４】
0003191323.tif 000004
【図５】  収納図
【符号の説明】
【０００５】１−１    もと・１とする大きさの円形厚紙
１−２    もと・１とする大きさの円形半透明プラスティック製色板
２−１    ２等分線を記入した円形厚紙
２−２    ３等分線を記入した円形厚紙
２−３    ４等分線を記入した円形厚紙
２−４    ５等分線を記入した円形厚紙
２−５    ６等分線を記入した円形厚紙
２−６    ８等分線を記入した円形厚紙
２−７    １２等分線を記入した円形厚紙
３−１    ２等分に切り分けられる切れ目を入れた円形半透明プラスティック製色板
３−２    ２等分に切り分けた半透明プラスティック製色板
３−３    ３等分に切り分けられる切れ目を入れた円形半透明プラスティック製色板
３−４    ３等分に切り分けた半透明プラスティック製色板
３−５    ４等分に切り分けられる切れ目を入れた円形半透明プラスティック製色板
３−６    ４等分に切り分けた半透明プラスティック製色板
３−７    ５等分に切り分けられる切れ目を入れた円形半透明プラスティック製色板
３−８    ５等分に切り分けた半透明プラスティック製色板
３−９    ６等分に切り分けられる切れ目を入れた円形半透明プラスティック製色板
３−１０  ６等分に切り分けた半透明プラスティック製色板
３−１１  ８等分に切り分けられる切れ目を入れた円形半透明プラスティック製色板
３−１２  ８等分に切り分けた半透明プラスティック製色板
３−１３  １２等分に切り分けられる切れ目を入れた円形プラスティック製色板
３−１４  １２等分に切り分けた半透明プラスティック製色板
４−１    たし算の例で−と−に切り分けた扇形半透明プラスティック製色板を、もと・１とする円形厚紙の上でたし合わせて並べた図
0003191323.tif 000005
を、もと・１とする円形厚紙に６等分線を記入した厚紙の上でたし合わせた図
0003191323.tif 000006
を、６等分線を記入したもと・１とする円形厚紙の上で重ね合わせた図
５        収納図
【図１】
0003191323.tif 000007
【図２】
0003191323.tif 000008
【図３】
0003191323.tif 000009
【図４】
0003191323.tif 000010
【図５】
0003191323.tif 000011